(57)【要約】【課題】変調度や光入力レベルが異なる複数のＲＦ信号を１つのＧＣにてレベル調整することができる、光受信機を提供すること。【解決手段】光信号を受信して電気信号に変換して出力する光受信機１であって、光信号を電気信号に変換するＰＤ素子２と、この電気信号のレベルを制御電圧に基づいて調整するＧＣ６と、電気信号のレベルに応じた制御電圧をＧＣ６に出力するもので、複数の制御電圧特性の中から選択された１つの制御電圧特性に基づいた制御電圧を出力するＧＣ制御部７とを備える。【選択図】図１
2007312282.tif 000002
【特許請求の範囲】
【請求項１】
光信号を受信して電気信号に変換して出力する光受信機であって、
光信号を電気信号に変換する光電変換手段と、
前記光電変換手段にて変換された前記電気信号のレベルを制御電圧に基づいて調整するレベル調整手段と、
前記光電変換手段にて変換された前記電気信号のレベルに応じた前記制御電圧を前記レベル調整手段に出力するもので、複数の制御電圧特性の中から選択された１つの制御電圧特性に基づいた制御電圧を出力するレベル調整制御手段と、
を備えたことを特徴とする光受信機。
【請求項２】
前記レベル調整制御手段は、
前記複数の制御電圧特性の中から１つの制御電圧特性を選択するための選択手段を備え、
前記選択手段にて選択された制御電圧特性に基づいた制御電圧を出力すること、
を特徴とする請求項１に記載の光受信機。
【請求項３】
光信号を受信して電気信号に変換して出力する光受信機であって、
光信号を電気信号に変換する光電変換手段と、
前記光電変換手段にて変換された前記電気信号のレベルを調整するレベル調整手段と、
前記レベル調整手段にてレベル調整された前記電気信号を減衰するもので、複数の減衰量の中から選択された１つの減衰量にて減衰する減衰手段と、
を備えたことを特徴とする光受信機。
【請求項４】
前記減衰手段は、
前記複数の減衰量のいずれかを選択するための選択手段を備え、
前記選択手段にて選択された減衰量にて減衰すること、
を特徴とする請求項３に記載の光受信機。
【発明の詳細な説明】
【技術分野】
【０００１】
この発明は、各種の信号を光信号として受信して電気信号に変換する光受信機に関し、特に、受信信号のレベル調整機能を備えた光受信機に関する。
【背景技術】
【０００２】
近年では、光通信技術の進展に伴い、光ファイバを使った家庭向けのデータ通信サービスであるＦＴＴＨ（Fiber To The Home）が一般家庭に普及しつつある。この光伝送システムによれば、数１０Ｋｍ程度の無中継伝送が可能となるため、伝送システムを容易に広域化できる。この光伝送システムは、概略的には、センター側に配置した光送信機や光増幅器と、受信者側に配置した光受信機（V-ONU:Video-Optical Network Unit:映像用光加入者線終端装置）とを、光ケーブルを介して接続して構成されている。そして、光送信機にてＲＦ信号を光信号に変換して送信し、光増幅器にてこの光信号を増幅し、この光信号を光ケーブルによる長距離伝送路を介して光受信機に送信する。この光受信機では、光信号を電気信号（ＲＦ信号）に変換して、ＴＶ受像機等の受信端末に出力する。
【０００３】
このような従来の光受信機の回路図を図７に示す。従来の光受信機１００は、概略的に、ＰＤ（Photo Diode）素子１０１、増幅器１０２〜１０４、ＧＣ（利得制御回路：Gain Controller）１０５、ＧＣ制御部１０６、ＡＴＴ（減衰回路：Attenuator）１０７、分岐器１０８、出力端子１０９、及び、モニタ出力端子１１０を備えて構成されている。このような構成において、外部から入力された光信号はＰＤ素子１０１にてＲＦ信号に変換される。このＲＦ信号は、増幅器１０２にて増幅され、ＧＣ１０５によってレベル調整された後、増幅器１０３、１０４にて多段的に増幅され、さらにＡＴＴ１０７による減衰を経て、出力端子１０９から出力される（例えば特許文献１参照）。
【０００４】
ここで、ＧＣ制御部１０６にはＧＣ１０５に出力する制御電圧を規定する制御電圧特性が予め設定されている。そして、ＧＣ制御部１０６は、ＰＤ端子１０１から出力されたＲＦ信号のレベルを演算処理し、このレベルに応じた制御電圧を制御電圧特性に基づいて決定して、この制御電圧をＧＣ１０５に出力する。そして、ＧＣ１０５では、この制御電圧に応じたレベルになるように、ＲＦ信号のレベルを調整する。
【０００５】
図８は、ＰＤ素子１０１に対する光入力レベルと、ＧＣ１０５による調整前のＲＦ信号のレベルとの関係を示すグラフを示す。この図８に示すように、ＰＤ素子１０１における光入力レベルが増大するに伴って、ＧＣ１０５に入力されるＲＦ信号がリニアに増大する。図９は、ＧＣ制御部１０６の制御電圧特性を示すグラフ、図１０は、ＰＤ素子１０１における光入力レベルと、ＧＣ１０５による調整後のＲＦ信号のレベルとの関係を示すグラフである。図９に示すように、ＧＣ制御部１０６の制御電圧特性は、ＰＤ素子１０１における光入力レベルが増大するに伴って、制御電圧が２次曲線状に小さくなるように設定されている。このため、図１０に示すように、ＧＣ１０５による調整後のＲＦ信号は、ある一定のレベルＰｉｎ１００以降では、ほぼ一定のレベルＲＦ１００に抑制される。
【０００６】
ここで、ＣＡＴＶによる多チャンネルサービス施設（以下、サービス施設）の運用条件を大別すると、図１１に示す第１と第２の２つのサービス施設の運用条件が考えられる。これら第１と第２の２つのサービス施設の相互間では、図示のように、アナログ波やデジタル波の搬送波の数、光変調度、及び、光入力レベルの運用条件が異なる。
【０００７】
特に、このように光変調度や光入力レベルが異なるため、第１のサービス施設の運用条件にて送信された光信号を変換して得られるＲＦ信号（以下、第１のＲＦ信号）と、第２のサービス施設の運用条件にて送信された光信号を変換して得られるＲＦ信号（以下、第２のＲＦ信号）とは、そのレベルが相互に異なる。具体的には、変調度が倍になる毎にＲＦ信号のレベルは６ｄＢ（＝20log2）増加し、光入力レベルが２ｄＢｍ低くなる毎にＲＦ信号のレベルは４ｄＢ低下する。
【０００８】
【特許文献１】特開平８−５６２００号公報（＊弊所において適当と行われる公報を選択致しましたのでご検討下さい。）
【発明の開示】
【発明が解決しようとする課題】
【０００９】
しかしながら、従来の光受信機１００においては、ＧＣ１０５やＧＣ制御部１０６が単一の変調度のＲＦ信号のみを対象に設計されていたので、レベルが異なる第１のＲＦ信号と第２のＲＦ信号とを、１つのＧＣ１０５にて同一のレベルに調整（抑制）することができなかった。具体的には、図１２のグラフに示すように、１つのＧＣを用いた場合、第１のＲＦ信号と第２のＲＦ信号とをそれぞれ異なる一定の出力レベルに調整することは可能であるが、変調度の相違に起因する第１のＲＦ信号と第２のＲＦ信号とのレベルの相違（＝６ｄＢ）を吸収できないため、第１のＲＦ信号の調整後の出力レベル（以下、第１の調整後出力レベル）ＲＦ１０１と、第２のＲＦ信号の調整後の出力レベル（以下、第２の調整後出力レベル）ＲＦ１０２とを、相互に同一レベルにすることができなかった。
【００１０】
このため、従来、同一の出力レベルの光受信を行うためには、サービス施設の運用条件毎の変調度や光入力レベルに対応したレベル制御機能を有する光受信機を製造し、これを運用条件に応じて設置する必要があった。このことが、光受信機の製造コストや設置コストを上昇させる一因になっていた。
【００１１】
この発明は、上述した従来技術の課題を解決するためになされたものであり、変調度や光入力レベルが異なる複数のＲＦ信号を共通の構成でレベル調整することができる、光受信機を提供することを目的とする。
【課題を解決するための手段】
【００１２】
上述した課題を解決し、目的を達成するため、請求項１に係る発明は、光信号を受信して電気信号に変換して出力する光受信機であって、光信号を電気信号に変換する光電変換手段と、前記光電変換手段にて変換された前記電気信号のレベルを制御電圧に基づいて調整するレベル調整手段と、前記光電変換手段にて変換された前記電気信号のレベルに応じた前記制御電圧を前記レベル調整手段に出力するもので、複数の制御電圧特性の中から選択された１つの制御電圧特性に基づいた制御電圧を出力するレベル調整制御手段と、を備えたことを特徴とする。
【００１３】
請求項２に係る発明は、請求項１に係る発明において、前記レベル調整制御手段は、前記複数の制御電圧特性の中から１つの制御電圧特性を選択するための選択手段を備え、前記選択手段にて選択された制御電圧特性に基づいた制御電圧を出力すること、を特徴とする。
【００１４】
請求項３に係る発明は、光信号を受信して電気信号に変換して出力する光受信機であって、光信号を電気信号に変換する光電変換手段と、前記光電変換手段にて変換された前記電気信号のレベルを調整するレベル調整手段と、前記レベル調整手段にてレベル調整された前記電気信号を減衰するもので、複数の減衰量の中から選択された１つの減衰量にて減衰する減衰手段と、を備えたことを特徴とする。
【００１５】
請求項４に係る発明は、請求項３に係る発明において、前記減衰手段は、前記複数の減衰量のいずれかを選択するための選択手段を備え、前記選択手段にて選択された減衰量にて減衰すること、を特徴とする。
【発明の効果】
【００１６】
請求項１に係る発明によれば、光信号の変調度や光入力レベルが変化した場合であっても、レベル調整手段の制御特性を変化させることで、このレベル調整手段による調整後の出力レベルを一定化でき、異なる変調度や光入力レベルの光信号を１台の光受信機で受信できる。従って、第１のサービス施設の運用条件下で設置可能な光受信機と、第２のサービス施設の運用条件下で設置可能な光受信機とを、相互に共通化でき、複数種類の光受信機を製造等する必要がなくなるので、光受信機の製造コストや設置コストを低減することができる。
【００１７】
また、請求項２に係る発明によれば、光信号の変調度や光入力レベルに応じた制御電圧特性を、選択手段を用いて容易に選択することができる。
【００１８】
また、請求項３に係る発明によれば、光信号の変調度や光入力レベルが変化した場合であっても、減衰手段における減衰量を変化させることで、この減衰手段における減衰後の出力レベルを一定化でき、異なる変調度や光入力レベルの光信号を１台の光受信機で受信できる。従って、従って、第１のサービス施設の運用条件下で設置可能な光受信機と、第２のサービス施設の運用条件下で設置可能な光受信機とを、相互に共通化でき、複数種類の光受信機を製造等する必要がなくなるので、光受信機の製造コストや設置コストを低減することができる。
【００１９】
また、請求項４に係る発明によれば、光信号の変調度や光入力レベルに応じた減衰量を、選択手段を用いて容易に選択することができる。
【発明を実施するための最良の形態】
【００２０】
以下に添付図面を参照して、この発明に係る光受信機の実施の形態を詳細に説明する。まず、〔I〕各実施の形態に共通の基本的概念を説明した後、〔II〕各実施の形態の具体的内容について説明し、〔III〕最後に、各実施の形態に対する変形例について説明する。ただし、これら各実施の形態によって本発明が限定されるものではない。
【００２１】
〔I〕各実施の形態に共通の基本的概念
まず、各実施の形態に共通の基本的概念について説明する。本実施の形態に係る光受信機は、光伝送システムにおいて受信者側に設置された映像用光加入者線終端装置であって、光ケーブルによる光伝送路を介して送信された光信号をＲＦ信号に変換して、ＴＶ受像機等の受信端末に出力するものである。
【００２２】
ここで、各実施の形態においては、ＲＦ信号のレベル調整機構に主たる特徴を有しており、概略的には、光信号が、図１１に示した規格によって規定されている複数の変調度や光入力レベルのいずれかで送信された場合において、この光信号を光電変換して取得されたＲＦ信号を、１台の光受信機で略同一レベルのＲＦ信号にレベル調整できる。したがって、サービス施設の運用条件に関わらず同一の光受信機を設置することが可能になり、光受信機の製造コストや設置コストを低減させることができるものである。
【００２３】
なお、以下の説明では、図１１に示した第１と第２の２つの多チャンネルサービス施設の運用条件が規定されていることを前提とするが、本発明は、３以上の運用条件が制定されている場合においても、後述するＧＣ制御部の電圧制御特定の数やＡＴＴの減衰量の数を増やすことで同様に適用でき、また、規格という形式に関わらず、光信号の変調度や光入力レベルが異なり得る環境下において同様に適用できるものである。
【００２４】
〔II〕各実施の形態の具体的内容
次に、各実施の形態の具体的内容について説明する。
【００２５】
〔実施の形態１〕
まず、実施の形態１の具体的内容について説明する。最初に、光受信機の構成について説明した後、この光受信機の動作について説明する。
【００２６】
（光受信機の構成）
図１は、実施の形態１に係る光受信機の回路図である。光受信機１は、ＰＤ素子２、増幅器３〜５、ＧＣ６、ＧＣ制御部７、ＡＴＴ８、分岐器９、出力端子１０、及び、モニタ出力端子１１を備えて構成されている。
【００２７】
ＰＤ素子２は、外部から入力された光信号を電気信号（ＲＦ信号）に変換するもので、特許請求の範囲における光電変換手段に対応する。増幅器３〜５は、ＲＦ信号を増幅する増幅手段であって、増幅器３はＧＣ６に至る前の予備的増幅を行い、増幅器４はＧＣ６からの出力の予備増幅を行い、増幅器５は予備増幅後の増幅を行う。ＡＴＴ８はＲＦ信号のレベルを一定の減衰量だけ減衰させる減衰手段である。分岐器９は、ＡＴＴ８による減衰後のＲＦ信号を出力端子１０へ出力すると共に、その一部をモニタ出力端子１１に分岐する。出力端子１０は、分岐器９から出力されたＲＦ信号をテレビ受像機等の後段機器に出力する。モニタ出力端子１１は、分岐器９にて分岐されたＲＦ信号をモニタ用に出力する。
【００２８】
ここで、ＧＣ６は、ＲＦ信号のレベルを制御電圧に基づいて調整するためのもので、特許請求の範囲におけるレベル調整手段に対応する。このＧＣ６は、従来の光受信機におけるＧＣと略同様に構成することができ、例えば、ＧＣ制御部７からの制御電圧に基づいて駆動される可変ＡＴＴを用いて構成される。
【００２９】
また、ＧＣ制御部７は、ＰＤ素子２にて変換されたＲＦ信号のレベルに応じた制御電圧をＧＣ６に出力するもので、特許請求の範囲におけるレベル調整制御手段に対応する。このＧＣ制御部７には、後述する第１の電圧制御特性と第２の電圧制御特性との２つの電圧制御特性が公知の方法にて設定されている。
【００３０】
また、ＧＣ制御部７には、システム設定スイッチ７ａが設けられている。このシステム設定スイッチ７ａは、ＧＣ制御部７の電圧制御特性を、第１の電圧制御特性と第２の電圧制御特性とのいずれか一方に選択的に切り替えるためのもので、特許請求の範囲における選択手段に対応する。このシステム設定スイッチ７ａの具体的構成は任意であるが、例えば、システム設定スイッチ７ａは単極ディップスイッチとして構成されている。
【００３１】
次に、ＧＣ制御部７に設定された第１の電圧制御特性と第２の電圧制御特性について説明する。図２は第１の電圧制御特性と第２の電圧制御特性とを示すグラフである。第１の電圧制御特性は、第１のＲＦ信号をＧＣ６にて調整する際の電圧制御特性であり、第１のサービス施設の運用条件に規定されている光入力レベルの範囲（−６から０ｄＢｍ）に対応する電圧制御特性である。第２の電圧制御特性は、第２のＲＦ信号をＧＣ６にて調整する際の電圧制御特性であり、第２のサービス施設の運用条件に規定されている光入力レベルの範囲（−８から−２ｄＢｍ）に対応する電圧制御特性である。
【００３２】
ここで、これら第１の電圧制御特性と第２の電圧制御特性とは、図示のように、相互に異なる２次曲線にて規定されている。具体的には、第１の電圧制御特性は、第１のＲＦ信号を第１の調整後出力レベルに調整するための電圧制御特性として規定されており、第２の電圧制御特性は、第２のＲＦ信号を第２の調整後出力レベルに調整するための電圧制御特性として規定されており、特に、第１の電圧制御特性と第２の電圧制御特性とは、第１の調整後出力レベル＝第２の調整後出力レベルとなるように規定されている。
【００３３】
図３は、ＧＣ６のＧＣ特性を示すグラフである。このグラフに示すように、第１の電圧制御特性が選択された場合のＧＣ特性と第２の電圧制御特性が選択された場合のＧＣ特性との相互間のＧＣロス（減衰量）の差分は、第１のＲＦ信号と第２のＲＦ信号との相互間のレベルの差分に略等しい。すなわち、図１１に示すように、光信号の変調度については、第２のサービス施設が第１のサービス施設の倍の変調度を有するために、第２のＲＦ信号のレベルは第１のＲＦ信号より６ｄＢ大きくなる。その一方で、光信号の入力レベルについては、第２のサービス施設が第１のサービス施設より２ｄＢ低いために、第２のＲＦ信号のレベルは第１のＲＦ信号より４ｄＢ低くなる。これらのことから、第１のＲＦ信号と第２のＲＦ信号との差分は差し引き２ｄＢ（＝６ｄＢ−４ｄＢ。第２のＲＦ信号＞第１のＲＦ信号）になる。
【００３４】
この２ｄＢの差を吸収するため、実施の形態１では、図３に示すように、第２の電圧制御特性が選択された場合のＧＣ特性におけるＧＣロスは、第１の電圧制御特性が選択された場合のＧＣ特性におけるＧＣロスより、常時２ｄＢ大きくなるように設定されている。例えば、第１のサービス施設における光信号の最低値−６ｄＢに対するＧＣロスは０ｄＢであるのに対して、第２のサービス施設における光信号の最低値−８ｄＢに対するＧＣロスは−２ｄＢになっている。換言すれば、このようなＧＣ特性を有するように、図２の第１の電圧制御特性と第２の電圧制御特性とが決定されている。なお、図３のグラフから分るように、ＧＣ６の調整レベル範囲は０から−１４ｄＢになる。
【００３５】
（光受信機１の動作）
次に、このように構成された光受信機１の動作について説明する。図１において、外部から入力された光信号はＰＤ素子２にてＲＦ信号に変換される。このＲＦ信号は、増幅器３にて増幅され、ＧＣ６によってレベル変動が抑制された後、増幅器４、５にて多段的に増幅され、さらにＡＴＴ８による減衰を経て、出力端子１０から出力される。
【００３６】
ここで、光受信機１を第１のサービス施設の運用条件下で使用する場合、設置者はシステム設定スイッチ７ａにて第１の電圧制御特性を予め選択しておく。この場合、ＧＣ制御部７は、自己に入力されたＲＦ信号のレベルに基づいて第１の電圧制御特性にて決定される制御電圧をＧＣ６に出力する。そして、ＧＣ６では、この制御電圧に応じてＲＦ信号の出力レベルを調整する。また、同様に、光受信機１を第２のサービス施設の運用条件下で使用する場合、設置者はシステム設定スイッチ７ａにて第２の電圧制御特性を予め選択しておく。この場合、ＧＣ制御部７は、自己に入力されたＲＦ信号のレベルに基づいて第２の電圧制御特性にて決定される制御電圧をＧＣ６に出力する。そして、ＧＣ６では、この制御電圧に応じてＲＦ信号の出力レベルを調整する。
【００３７】
図４は、ＰＤ素子２における光入力レベルと、ＧＣ６による調整後のＲＦ信号との関係を示すグラフである。第１のＲＦ信号は、−６ｄＢｍから０ｄＢｍまでの範囲において、その出力レベルを出力レベルＯＬ１になるように調整され、第２のＲＦ信号は、−８ｄＢｍから−２ｄＢｍまでの範囲において、その出力レベルを出力レベルＲＦ１になるように調整される。すなわち、第１のＲＦ信号と第２のＲＦ信号のいずれもが、その光入力レベルの範囲において、同一の出力レベルＲＦ１に調整される。このため、光信号の変調度が変化した場合であっても、ＧＣ６からの出力レベルを一定化でき、異なる変調度の光信号を１台の光受信機１で受信できる。
【００３８】
(実施の形態１の効果）
このように実施の形態１によれば、光信号の変調度が変化した場合であっても、ＧＣ６の制御特性を変化させることで、ＧＣ６による調整後の出力レベルを一定化でき、異なる変調度の光信号を１台の光受信機１で受信できる。従って、第１のサービス施設用の光受信機と第２のサービス施設用の光受信機とを共通化でき、複数種類の光受信機を製造等する必要がなくなるので、光受信機の製造コストや設置コストを低減することができる。
【００３９】
〔実施の形態２〕
次に、本発明に係る実施の形態２の具体的内容について説明する。この実施の形態２は、ＡＴＴによる減衰を行うことで、ＲＦ信号の出力レベルを一定化する形態である。なお、実施の形態２の構成は特記する場合を除いて実施の形態１の構成と略同一であり、実施の形態１の構成と略同一の構成についてはこの実施の形態１で用いたのと同一の符号を必要に応じて付して、その説明を省略する。
【００４０】
（光受信機の構成）
図５は、実施の形態２に係る光受信機の回路図である。光受信機２０は、ＰＤ素子２１、増幅器２２〜２４、ＧＣ２５、ＧＣ制御部２６、ＡＴＴ２７、２８、分岐器２９、出力端子３０、及び、モニタ出力端子３１を備えて構成されている。このうち、ＰＤ素子２１、増幅器２２〜２４、ＧＣ２５、ＡＴＴ２８、分岐器２９、出力端子３０、及び、モニタ出力端子３１は、それぞれ、実施の形態１におけるＰＤ素子２、増幅器３〜５、ＧＣ６、ＡＴＴ８、分岐器９、出力端子１０、及び、モニタ出力端子１１と同様に構成されている。
【００４１】
ここで、ＧＣ制御部２６は、従来の光受信機に用いられていたものと同一のものを用いることができ、単一の電圧制御特性に基づいて、ＰＤ素子２１にて変換されたＲＦ信号のレベルに応じた制御電圧をＧＣ２５に出力する。なお、このＧＣ２５の調整レベル範囲は０から−１６ｄＢになる。
【００４２】
ＡＴＴ２７は、ＧＣ２５にてレベル調整されたＲＦ信号を減衰するものであって、特許請求の範囲における減衰手段に対応する。具体的には、ＡＴＴ２７は、可変減衰器として構成されており、後述する第１の減衰量と第２の減衰量とのいずれか一方を減衰する。
【００４３】
また、ＡＴＴ２７には、システム設定スイッチ２７ａが設けられている。このシステム設定スイッチ２７ａは、ＡＴＴ２７の減衰量を、第１の減衰量と第２の減衰量とのいずれか一方に選択的に切り替えるためのスイッチであり、その具体的構成は任意であるが、例えば単極ディップスイッチとして構成されている。
【００４４】
次に、第１の減衰量と第２の減衰量とについて説明する。これら第１の減衰量と第２の減衰量との相互間の差分は、光信号の変調度の相違に起因する第１のＲＦ信号と第２のＲＦ信号との相互間のレベルの差分に略等しくなるように決定される。すなわち、光入力レベルの相違に起因するＲＦ信号のレベルの差分は、ＧＣ２５によるレベル調整にて吸収することができるため、さらに、変調度の相違に起因するＲＦ信号のレベルの差分を、第１の減衰量と第２の減衰量との減衰量の差分にて吸収する。この変調度の相違に起因するＲＦ信号のレベルの差分は、図１２に示したように、変調度が倍になることに起因して６ｄＢであるから、例えば、第１の減衰量を０ｄＢとすると共に、第２の減衰量を−６ｄＢとする。
【００４５】
（光受信機２０の動作）
次に、このように構成された光受信機２０の動作について説明する。図５において、外部から入力された光信号はＰＤ素子２１にてＲＦ信号に変換される。このＲＦ信号は、増幅器２２にて増幅され、ＧＣ２５によってレベル変動が抑制された後、増幅器２３による増幅を経て、ＡＴＴ２７にて減衰される。このように減衰されたＲＦ信号は、さらに増幅器２４による増幅とＡＴＴ２８による減衰とを経て、出力端子３０から出力される。
【００４６】
ここで、光受信機２０を第１のサービス施設の運用条件下で使用する場合、設置者はシステム設定スイッチ２７ａにて第１の減衰量を予め選択しておく。この場合、ＡＴＴ２７は、自己に入力されたＲＦ信号のレベルを第１の減衰量だけ減衰する。また、同様に、光受信機２０を第２のサービス施設の運用条件下で使用する場合、設置者はシステム設定スイッチ２７ａにて第２の減衰量を予め選択しておく。この場合、ＡＴＴ２７は、自己に入力されたＲＦ信号のレベルを第２の減衰量だけ減衰する。このことにより、図１２のＲＦ信号のレベルの差分がＡＴＴ２７の減衰量の差分によって吸収され、図６に示すように、光信号の変調度が変化した場合であっても、ＡＴＴ２７による減衰後のＲＦ信号の出力レベルを出力レベルＲＦ２に一定化でき、異なる変調度の光信号を１台の光受信機２０で受信できる。
【００４７】
(実施の形態２の効果）
このように実施の形態２によれば、光信号の変調度が変化した場合であっても、ＡＴＴ２７の減衰量を変化させることで、ＡＴＴ２７による減衰後の出力レベルを一定化でき、異なる変調度の光信号を１台の光受信機２０で受信できる。従って、第１のサービス施設用の光受信機と第２のサービス施設用の光受信機とを共通化でき、複数種類の光受信機を製造等する必要がなくなるので、光受信機の製造コストや設置コストを低減することができる。
【００４８】
〔III〕実施の形態に対する変形例
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００４９】
（解決しようとする課題や発明の効果について）
また、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００５０】
（スイッチの自動切り替えについて）
各実施の形態においては、ＧＣ制御部７の電圧制御特性やＡＴＴ２７の減衰量をシステム設定スイッチで切り替えるものとして説明したが、この切り替えを自動化してもよい。例えば、図示は省略するが、光受信機に、ＰＬＬ（Phase Locked Loop）、切り替え制御部、及び、記憶部を設ける。そして、ＰＬＬにてＲＦ信号から１波のみを抜き出す。切り替え制御部は、このＲＦ信号の変調度を特定し、この変調度に基づいて、記憶部に予め記憶させた図１１の如きテーブルを参照することで、当該ＲＦ信号が第１と第２のいずれのサービス施設からのものであるのかを自動判定する。そして、切り替え制御部は、この判定結果に応じてＧＣ制御部７やＡＴＴ２７に制御信号を出力することで、これらＧＣ制御部７の電圧制御特性やＡＴＴ２７の減衰量を自動的に切り替えてもよい。この場合にはシステム設定スイッチ７ａ、２７ａの切り替え作業が不要になると共に、仮に第１と第２のサービス施設からの信号が混在するような場合であっても、レベル制御を自動的に行うことができるという利点がある。
【産業上の利用可能性】
【００５１】
この発明は、光伝送システムにおいて光信号を受信する際に有用であり、特に、変調度や光入力レベルが異なる光信号を受信するために適している。
【図面の簡単な説明】
【００５２】
【図１】本発明の実施の形態１に係る光受信機の回路図である。
【図２】第１の電圧制御特性と第２の電圧制御特性とを示すグラフである。
【図３】ＧＣのＧＣ特性を示すグラフである。
【図４】ＰＤ素子における光入力レベルと、ＧＣによる調整後のＲＦ信号との関係を示すグラフである。
【図５】本発明の実施の形態２に係る光受信機の回路図である。
【図６】ＰＤ素子における光入力レベルと、ＧＣによる調整後のＲＦ信号との関係を示すグラフである。
【図７】従来の光受信機の回路図である。
【図８】ＰＤ素子における光入力レベルと、ＧＣに入力されるＲＦ信号のレベルとの関係を示すグラフである。
【図９】ＧＣ制御部の制御電圧特性を示すグラフである。
【図１０】ＰＤ素子における光入力レベルと、ＧＣによる調整後のＲＦ信号のレベルとの関係を示すグラフである。
【図１１】ＣＡＴＶによる多チャンネルサービス施設の運用条件を示す図である。
【図１２】ＰＤ素子における光入力レベルと、ＧＣに入力されるＲＦ信号のレベルとの関係を示すグラフである。
【符号の説明】
【００５３】
１、２０、１００  光受信機
２、２１、１０１  ＰＤ素子
３〜５、２２〜２４、１０２〜１０４  増幅器
６、２５、１０５  ＧＣ
７、２６、１０６  ＧＣ制御部
７ａ、２７ａ  システム設定スイッチ
８、２７、２８、１０７  ＡＴＴ
９、２９、１０８  分岐器
１０、３０、１０９  出力端子
１１、３１、１１０  モニタ出力端子
【図１】
2007312282.tif 000003
【図２】
2007312282.tif 000004
【図３】
2007312282.tif 000005
【図４】
2007312282.tif 000006
【図５】
2007312282.tif 000007
【図６】
2007312282.tif 000008
【図７】
2007312282.tif 000009
【図８】
2007312282.tif 000010
【図９】
2007312282.tif 000011
【図１０】
2007312282.tif 000012
【図１１】
2007312282.tif 000013
【図１２】
2007312282.tif 000014